(57)【要約】【課題】着信・情報受信をユーザに通知する機能に対して、十分に省電力化できる携帯端末装置及び携帯端末装置における省電力制御方法を提供すること。【解決手段】本発明の携帯端末装置１０は、装置本体に搭載され、静止状態であるかどうかを検出する加速度センサ１０１と、鳴動に対しての不干渉の回数をカウントするとともに、加速度センサ１０１の検出結果と不干渉の回数とにより放置状態を判断する放置状態判断部１０３と、放置状態判断部１０３の判断結果に基づいて装置本体における省電力を制御する省電力データ処理部１０６と、を具備することを特徴とする。【選択図】図１
2011244148.tif 000002
【特許請求の範囲】
【請求項１】
装置本体と、前記装置本体に搭載され、静止状態であるかどうかを検出するセンサ手段と、鳴動に対しての不干渉の回数をカウントするとともに、前記センサ手段の検出結果と前記不干渉の回数とにより放置状態を判断する放置状態判断手段と、前記放置状態判断手段の判断結果に基づいて前記装置本体における省電力を制御する省電力制御手段と、を具備することを特徴とする携帯端末装置。
【請求項２】
前記省電力制御手段は、前記放置状態判断手段における判断結果である放置状態のランクに応じて省電力態様を変えることを特徴とする請求項１記載の携帯端末装置。
【請求項３】
前記省電力制御手段は、前記放置状態判断手段における判断結果である放置状態のランクに応じて省電力対象に対する出力を段階的に変えることを特徴とする請求項１又は請求項２記載の携帯端末装置。
【請求項４】
前記省電力対象が、バイブレーションモータ、スピーカー又は光源であることを特徴とする請求項３記載の携帯端末装置。
【請求項５】
前記放置状態判断手段は、前記装置本体に所定値以上の振動が加わったときに、放置状態でないと判断することを特徴とする請求項１から請求項４のいずれかに記載の携帯端末装置。
【請求項６】
前記放置状態判断手段は、前記不干渉の回数に対してしきい値判定することにより放置状態を判断し、前記装置本体から得られる他の情報に応じて、前記しきい値判定のしきい値を変更することを特徴とする請求項１から請求項５のいずれかに記載の携帯端末装置。
【請求項７】
前記装置本体から得られる他の情報が、前記装置本体に搭載された照度センサで検出された照度、又は充電状態を表す情報であることを特徴とする請求項６記載の携帯端末装置。
【請求項８】
装置本体に搭載されたセンサ手段により、静止状態であるかどうかを検出する工程と、鳴動に対しての不干渉の回数をカウントする工程と、前記センサ手段の検出結果と前記不干渉の回数とにより放置状態を判断する工程と、前記放置状態の判断結果に基づいて前記装置本体における省電力を制御する工程と、を具備することを特徴とする携帯端末装置における省電力制御方法。
【請求項９】
前記放置状態の判断結果である放置状態のランクに応じて省電力態様を変えることを特徴とする請求項８記載の携帯端末装置における省電力制御方法。
【請求項１０】
前記放置状態の判断結果である放置状態のランクに応じて省電力対象に対する出力を段階的に変えることを特徴とする請求項８又は請求項９記載の携帯端末装置における省電力制御方法。
【請求項１１】
前記装置本体に所定値以上の振動が加わったときに、放置状態でないと判断することを特徴とする請求項８から請求項１０のいずれかに記載の携帯端末装置における省電力制御方法。
【請求項１２】
前記不干渉の回数に対してしきい値判定することにより放置状態を判定し、前記装置本体から得られる他の情報に応じて、前記しきい値判定のしきい値を変更することを特徴とする請求項８から請求項１１のいずれかに記載の携帯端末装置における省電力制御方法。
【発明の詳細な説明】
【技術分野】
【０００１】
本発明は、携帯端末装置及び携帯端末装置における省電力制御方法に関する。
【背景技術】
【０００２】
近年、携帯端末装置は高機能化しており、バッテリの持ち時間に対する課題が顕在化している。このため、携帯端末装置の省電力化について、例えば、特許文献１に開示されている技術がある。特許文献１には、ユーザが携帯端末装置の画面を見る動作を行ったかどうかを検出し、その検出結果に基づいて省電力モードに移行することが開示されている。
【先行技術文献】
【特許文献】
【０００３】
【特許文献１】特開２００７−８０２１９号公報
【発明の概要】
【発明が解決しようとする課題】
【０００４】
特許文献１に開示されている技術は、アプリケーション起動中において、ユーザが携帯端末装置の画面を見る動作を行ったかどうかを検出し、その検出結果に基づいて省電力モードに移行する技術であり、アプリケーション起動中での省電力化を図ることを目的としており、着信・情報受信をユーザに通知するという機能に対しては、ユーザに通知する必要があるので、依然として、省電力化を図ることなくユーザに通知することになる。したがって、特許文献１に開示されている技術では、着信・情報受信をユーザに通知する機能に対しては、十分に省電力を働かせることができない。
【０００５】
本発明はかかる点に鑑みてなされたものであり、着信・情報受信をユーザに通知する機能に対して、十分に省電力化できる携帯端末装置及び携帯端末装置における省電力制御方法を提供することを目的とする。
【課題を解決するための手段】
【０００６】
本発明の携帯端末装置は、装置本体と、前記装置本体に搭載され、静止状態であるかどうかを検出するセンサ手段と、鳴動に対しての不干渉の回数をカウントするとともに、前記センサ手段の検出結果と前記不干渉の回数とにより放置状態を判断する放置状態判断手段と、前記放置状態判断手段の判断結果に基づいて前記装置本体における省電力を制御する省電力制御手段と、を具備することを特徴とする。
【０００７】
この構成によれば、装置本体に搭載された加速度センサにより、静止状態であるかどうかを検出するとともに、鳴動に対しての不干渉の回数をカウントし、加速度センサの検出結果と不干渉の回数とにより放置状態を判断し、放置状態の判断結果に基づいて装置本体における省電力を制御するので、着信・情報受信をユーザに通知する機能に対して、十分に省電力化することができる。
【０００８】
本発明の携帯端末装置においては、前記省電力制御手段は、前記放置状態判断手段における判断結果である放置状態のランクに応じて省電力態様を変えることが好ましい。
【０００９】
本発明の携帯端末装置においては、前記省電力制御手段は、前記放置状態判断手段における判断結果である放置状態のランクに応じて省電力対象に対する出力を段階的に変えることが好ましい。この場合において、前記省電力対象が、バイブレーションモータ、スピーカー又は光源であることが好ましい。
【００１０】
本発明の携帯端末装置においては、前記放置状態判断手段は、前記装置本体に所定値以上の振動が加わったときに、放置状態でないと判断することが好ましい。
【００１１】
本発明の携帯端末装置においては、前記放置状態判断手段は、前記不干渉の回数に対してしきい値判定することにより放置状態を判断し、前記装置本体から得られる他の情報に応じて、前記しきい値判定のしきい値を変更することが好ましい。この場合においては、前記装置本体から得られる他の情報が、前記装置本体に搭載された照度センサで検出された照度、又は充電状態を表す情報であることが好ましい。
【００１２】
本発明の携帯端末装置における省電力制御方法は、装置本体に搭載されたセンサ手段により、静止状態であるかどうかを検出する工程と、鳴動に対しての不干渉の回数をカウントする工程と、前記センサ手段の検出結果と前記不干渉の回数とにより放置状態を判断する工程と、前記放置状態の判断結果に基づいて前記装置本体における省電力を制御する工程と、を具備することを特徴とする。
【００１３】
この方法によれば、装置本体に搭載された加速度センサにより、静止状態であるかどうかを検出するとともに、鳴動に対しての不干渉の回数をカウントし、加速度センサの検出結果と不干渉の回数とにより放置状態を判断し、放置状態の判断結果に基づいて装置本体における省電力を制御するので、着信・情報受信をユーザに通知する機能に対して、十分に省電力化することができる。
【００１４】
本発明の携帯端末装置における省電力制御方法においては、前記放置状態の判断結果である放置状態のランクに応じて省電力態様を変えることが好ましい。
【００１５】
本発明の携帯端末装置における省電力制御方法においては、前記放置状態の判断結果である放置状態のランクに応じて省電力対象に対する出力を段階的に変えることが好ましい。
【００１６】
本発明の携帯端末装置における省電力制御方法においては、前記装置本体に所定値以上の振動が加わったときに、放置状態でないと判断することが好ましい。
【００１７】
本発明の携帯端末装置における省電力制御方法においては、前記不干渉の回数に対してしきい値判定することにより放置状態を判断し、前記装置本体から得られる他の情報に応じて、前記しきい値判定のしきい値を変更することが好ましい。
【発明の効果】
【００１８】
本発明によれば、装置本体に搭載されたセンサ手段により、静止状態であるかどうかを検出し、鳴動に対しての不干渉の回数をカウントし、前記センサ手段の検出結果と前記不干渉の回数とにより放置状態を判断し、前記放置状態の判断結果に基づいて前記装置本体における省電力を制御するので、着信・情報受信をユーザに通知する機能に対して、十分に省電力化することができる。
【図面の簡単な説明】
【００１９】
【図１】本発明の実施の形態に係る携帯端末装置の機能構成図である。
【図２】本発明の実施の形態に係る動作データ格納部の機能内容の一例を示す図である。
【図３】本発明の実施の形態に係る動作データ格納部の機能内容の一例を示す図である。
【図４】本発明の実施の形態に係る携帯端末装置の省電力動作を示すフローチャートである。
【発明を実施するための形態】
【００２０】
以下、本発明の実施の形態について、添付図面を参照して詳細に説明する。
＜携帯端末装置の構成＞
本実施の形態に係る携帯端末装置１０の構成について説明する。図１は、本発明の実施の形態に係る携帯端末装置１０の機能構成図である。図１に示すように、携帯端末装置１０は、加速度センサ１０１と、照度センサ１０２と、放置状態判断部１０３と、格納部１０４と、受信処理部１０５と、省電力データ処理部１０６と、モータ制御部１０７と、バイブレーションモータ１０８と、音量制御部１０９と、スピーカー１１０と、ディスプレイ制御部１１１と、光源１１２とから主に構成されている。
【００２１】
また、この携帯端末装置１０は、携帯電話としての基本機能である電話機能の他、例えば、インターネットなどの通信ネットワークを介して外部端末との間でメールデータを送受信するメール機能、パケット通信サービスを利用する通信サービス機能などを備えている。
【００２２】
加速度センサ１０１は、装置本体に搭載されており、携帯端末装置１０の向きや移動量を検出する。すなわち、加速度センサ１０１は、携帯端末装置１０が静止状態であるかどうかを検出する。ここで、携帯電話１０の移動量を検出する方法は既知の方法を用いることができる。具体的には、加速度センサ１０１が加減速状態にあるときは、「運動による加減速度成分」と「傾斜による重力加速度成分」との合成信号が加速度信号として加速度センサ１０１から放置状態判断部１０３に出力される。
【００２３】
照度センサ１０２は、装置本体に搭載されており、携帯端末装置１０が置かれている環境の照度を検出する。すなわち、照度センサ１０２で照度を検出することにより、携帯端末装置１０が照明の落とされた環境やカバンの中であるかどうかの情報を得ることができる。この照度情報は、照度センサ１０２から放置状態判断部１０３に出力される。
【００２４】
放置状態判断部１０３は、加速度センサ１０１の検出結果により放置状態を判断し、不干渉の回数をカウントする。すなわち、放置状態判断部１０３は、静止状態が継続しており、かつ、鳴動（音、振動、光）による携帯端末装置１０の動作に対してユーザが不干渉であったときに、携帯端末装置１０が放置状態であると判断する。放置状態判断部１０３における判断結果（不干渉のカウント数）は、省電力データ処理部１０６に出力される。なお、放置状態の判断の詳細については後述する。このように、放置状態判断部１０３は、鳴動動作に対するユーザの不干渉の回数を用いるので、携帯端末装置１０の鳴動動作に対しての不干渉の回数をカウントする機能を備えている。ここで、鳴動動作に対するユーザの不干渉とは、着信、メール受信、情報受信などにより携帯端末装置１０が鳴動した際に、ユーザが携帯端末装置１０に対していずれの操作や、手に取り持ち上げる動作などを含む人為的な干渉を行わないことをいう。
【００２５】
放置状態判断部１０３は、また、上述したように放置状態と判断した後に、装置本体に所定値以上の振動が加わったときには、放置状態でないと判断する。すなわち、放置状態判断部１０３は、放置状態と判断した後に、加速度センサ１０１からの加速度の情報に対してしきい値判定を行い、所定のしきい値を超える加速度になったときに、放置状態でないと判断する。この放置状態判断部１０３における判断結果（放置状態でない旨）も、省電力データ処理部１０６に出力される。
【００２６】
上述したように、放置状態判断部１０３は、携帯端末装置１０に対するユーザの不干渉の回数に対してしきい値判定することにより放置状態を判断する。放置状態判断部１０３は、装置本体から得られる他の情報に応じて、しきい値判定のしきい値を変更しても良い。例えば、照度センサ１０２から出力された照度に対してしきい値判定を行い、照度が所定のしきい値以下である場合には、例えば、携帯端末装置１０が照明の落とされた環境やカバンの中であると考えられるので、放置状態ランクを決定する不干渉回数を変更する。すなわち、放置状態判断部１０３は、照度が所定のしきい値以下である場合には、後述する格納部１０４の図２に示すテーブルのＮ，α，βをより小さい値に更新する。また、放置状態判断部１０３は、充電状態を表す情報（充電情報）を得た場合には、携帯端末装置１０に対する電力が供給されている状態であるので、本発明における省電力制御を実施する必要性がない。その場合には、放置状態ランクを決定する不干渉回数を変更しても良い。すなわち、放置状態判断部１０３は、充電情報を得た場合には、後述する格納部１０４の図２に示すテーブルのＮ，α，βをより大きい値に更新、又は放置状態判断を行わないことを可能とする。
【００２７】
格納部１０４は、放置状態のランク、鳴動動作に対するユーザの不干渉の回数、省電力制御態様を管理する情報を格納する。例えば、格納部１０４は、図２に示すように、放置状態ランクと放置状態の継続回数（ユーザの不干渉回数）とを関連づけたテーブルを格納する。図２に示すテーブルにおいては、放置状態の継続回数がＮ回（放置カウンタ＝Ｎ）の場合を放置状態ランクＡとし、放置状態の継続回数がＮ＋α回（放置カウンタ＝Ｎ＋α）の場合を放置状態ランクＢとし、放置状態の継続回数がＮ＋α＋β回（放置カウンタ＝Ｎ＋α＋β）の場合を放置状態ランクＣとしている。放置状態ランクと放置状態の継続回数（ユーザの不干渉回数）との関連は、図２に限定されず、適宜変更することができる。
【００２８】
また、格納部１０４は、図３に示すように、放置状態ランクと省電力制御態様とを関連づけたテーブルを格納する。図３に示すテーブルにおいては、放置状態ランクＡの場合には、輝度調整命令を照明オフとし、音量調整命令及びモータ出力調整命令を通常とする。すなわち、放置状態ランクＡの場合には、ディスプレイ及びキーバックライトなどの各種光源をオフにし、スピーカーの音量及びバイブレーションモータの出力を通常に動作させる制御パターンとなる。放置状態ランクＢ，Ｃの場合には、輝度調整命令を照明オフとし、音量調整命令及びモータ出力調整命令を段階的引き下げとする。すなわち、放置状態ランクＢ，Ｃの場合には、ディスプレイ及びキーバックライトなどの各種光源をオフにし、スピーカーの音量及びバイブレーションモータの出力を徐々に小さくする制御パターンとなる。なお、放置状態ランクＢと放置状態ランクＣとでは、段階的に出力を下げる制御幅が異なる。例えば、放置状態ランクＢの場合には、段階的に出力を下げる制御幅が小さく（例えば、１０％減）、放置状態ランクＣの場合には、段階的に出力を下げる制御幅が大きい（例えば、２０％減）。なお、この制御幅については、これに限定されず、適宜変更することができる。また、放置状態ランクと省電力制御態様との関連も、図３に限定されず、適宜変更することができる。
【００２９】
放置状態ランクに応じた省電力制御態様としては、ユーザへの報知機能の低い機能から省電力化することが望ましい。また、ユーザへの報知機能の高い機能については、段階的に出力を下げる省電力化を行うことが望ましい。例えば、音や振動は、光よりもユーザへの報知機能が高いと考えられる。すなわち、ユーザは、ディスプレイが光ることよりも、スピーカーからの音やバイブレータの振動で着信などに気づくと考えられる。このため、本実施の形態においては、報知機能の低い照明については低い放置状態レベルから省電力化させ、報知機能の高い音やバイブレータについては段階的に省電力化させるように設定している。
【００３０】
受信処理部１０５は、携帯端末装置１０で受信した信号の受信処理を行う。すなわち、受信処理部１０５は、着信、メール受信、情報受信などの際に、通信データに適した受信処理を行う。受信処理部１０５は、着信、メール受信、情報受信があったことを、省電力データ処理部１０６に通知する。省電力データ処理部１０５では、受信処理部１０５から通知された情報に基づいて放置状態のレベルを確認し、省電力制御の実行内容に合わせた処理を行う。      
【００３１】
省電力データ処理部（省電力制御手段）１０６は、放置状態判断部１０３の判断結果（不干渉のカウント数）に基づいて装置本体における省電力を制御する。すなわち、省電力データ処理部１０６は、放置状態判断部１０３から判断結果（不干渉のカウント数）が通知されると、格納部１０４の図３に示すテーブルを参照して、装置本体における省電力対象への省電力制御を行う。ここでは、省電力対象は、バイブレーションモータ１０８、スピーカー１１０及び光源（液晶バックライト、キーバックライトやフロントライト）１１２である。なお、省電力対象は、これに限定されず、適宜変更することができる。
【００３２】
省電力データ処理部１０６は、具体的には、放置状態ランクに基づいて、バイブレーションモータ１０８の回転出力を制御するモータ制御部１０７、スピーカー１１０の出力（音量）を制御する音量制御部１０９及び光源１１２に対する出力を制御するディスプレイ制御部１１１に対して制御命令（制御信号）を出力する。すなわち、省電力データ処理部１０６は、モータ制御部１０７に対してモータ出力調整命令を出力し、音量制御部１０９に対して音量調整命令を出力し、ディスプレイ制御部１１１に対して輝度調整命令を出力する。したがって、モータ制御部１０７は、モータ出力調整命令にしたがってバイブレーションモータ１０８の回転出力を制御し（出力低下、停止）、音量制御部１０９は、音量調整命令にしたがってスピーカーに１１０対する出力を制御し（出力低下、消音）、ディスプレイ制御部１１１は、輝度調整命令にしたがって光源１１２を制御する（点灯、消灯）。
【００３３】
このように、省電力データ処理部１０６は、格納部１０４に格納されている図３に示すテーブルにしたがって省電力制御を行う。すなわち、省電力データ処理部１０６は、放置状態ランクに応じて省電力態様を変える。また、省電力データ処理部１０６は、放置状態ランクに応じて省電力対象に対する出力を段階的に変える。
【００３４】
＜携帯端末装置の省電力動作＞
次に、以上のように構成された本発明の実施の形態に係る携帯端末装置の省電力動作について説明する。図４は、携帯端末装置１０の省電力動作を示すフローチャートである。
【００３５】
放置状態判断部１０３は、携帯端末装置１０の放置状態の継続回数を示すカウンタ（以下、放置カウンタという）をリセットする（ステップＳ１０１）。具体的には、放置状態判断部１０３は、本フローの開始時において放置状態の継続回数は０（ゼロ）回であるので、放置カウンタの値を初期値（例えば、０）に設定する。
【００３６】
省電力データ処理部１０６は、受信処理部１０５によって不図示の移動通信網から、携帯端末装置１０のユーザに対する通知が必要な信号が受信されたか否かを判断する（ステップＳ１０２）。ここで、携帯端末装置１０のユーザに対する通知が必要な信号とは、例えば、音声着信信号、電子メール信号、定期的に携帯端末装置１０に対して情報を配信する情報配信サービスの情報配信信号などである。
【００３７】
受信処理部１０５によってユーザに対する通知が必要な信号が受信された場合（ステップＳ１０２；Ｙｅｓ）、省電力データ処理部１０６は、放置状態が継続しているか否かを判断する（ステップＳ１０３）。具体的には、省電力データ処理部１０６は、放置状態判断部１０３に記憶されている放置カウンタの値が初期値であるか否かを判定する。
【００３８】
携帯端末装置１０の放置状態が継続している場合、すなわち、放置カウンタの値が初期値ではない場合（ステップＳ１０３；Ｙｅｓ）、省電力データ処理部１０６は、放置状態の継続回数に応じて、モータ制御部１０７、音量制御部１０９、ディスプレイ制御部１１１に対する制御命令を生成する（ステップＳ１０４）。具体的には、省電力データ処理部１０６は、格納部１０４を参照して、放置状態の継続回数（すなわち、放置カウンタの値）に対応する放置状態ランクに応じた制御命令を生成する。
【００３９】
例えば、省電力データ処理部１０６は、放置状態の継続回数がＮ回以上であるがＮ＋α回未満である場合、図２に示す格納部１０４の格納内容を参照して放置状態を放置状態ランクＡと決定し、図３に示す格納部１０４の格納内容を参照して放置状態ランクＡに応じた制御命令を生成する。
【００４０】
具体的には、放置状態ランクＡにおいて、省電力データ処理部１０６は、ユーザに対する報知機能が低い光源１１２については、点灯を中止させる輝度調整命令（照明オフ）を生成する。一方、省電力データ処理部１０６は、光源１１２の点灯よりもユーザに対する報知機能が高いスピーカー１１０の音量及びバイブレーションモータ１０８の出力については、通常通りとする音量調整命令（通常）及びモータ出力調整命令（通常）を生成する。
【００４１】
また、省電力データ処理部１０６は、放置状態の継続回数がＮ＋α回以上であるがＮ＋α＋β回未満である場合、図２に示す格納部１０４の格納内容を参照して放置状態ランクＢと決定し、図３に示す格納部１０４の格納内容を参照して放置状態ランクＢに応じた制御命令を生成する。
【００４２】
具体的には、放置状態ランクＢにおいて、省電力データ処理部１０６は、放置状態ランクＡに引き続き、光源１１２の点灯を中止させる輝度調整命令（照明オフ）を生成する。さらに、省電力データ処理部１０６は、スピーカー１１０の音量及びバイブレーションモータ１０８の出力を段階的に引き下げる音量調整命令（段階的引き下げ（小））及びモータ出力調整命令（段階的引き下げ（小））を生成する。
【００４３】
ここで、スピーカー１１０の音量の「段階的引き下げ」とは、例えば、スピーカー１１０から出力されるユーザへの通知音の音量を、通知音の出力を開始してから時間Ｔ１までは通常の音量、Ｔ１時間から時間Ｔ２までは通常の音量からｘｄＢ（１０％減）小さく、時間Ｔ２から時間Ｔ３までは通常の音量からｘ＋ｙｄＢ（２０％減）小さく…のように音量を制御することをいう。また、バイブレーションモータ１０８の出力の「段階的引き下げ」とは、バイブレーションモータ１０８の振動を開始してから時間Ｔ１までは通常のモータ回転量、Ｔ１時間から時間Ｔ２までは通常のモータ回転量の１／Ｘ（１０％）、時間Ｔ２から時間Ｔ３までは通常のモータ回転量の１／Ｘ＋Ｙ…（２０％減）のようにモータ回転量（出力）を制御することをいう。
【００４４】
また、省電力データ処理部１０６は、放置状態の継続回数がＮ＋α＋β回数以上である場合、図２に示す格納部１０４の格納内容を参照して放置状態を放置状態ランクＣと決定し、図３に示す格納部１０４の格納内容を参照して放置状態ランクＣに応じた制御命令を生成する。
【００４５】
具体的には、放置状態ランクＣにおいて、省電力データ制御部１０６は、輝度調整命令（照明オフ）、音量調整命令（段階的引き下げ（大））、モータ出力調整命令（段階的引き下げ（大））を生成する。なお、放置状態ランクＣは、放置状態ランクＢよりも放置状態の継続回数が大きいため、スピーカー１１０の音量の「段階的引き下げ」及びバイブレーションモータ１０８の振動量の「段階的引き下げ」の引き下げ幅は、放置状態ランクＢよりも大きく設定される。すなわち、放置状態ランクＣにおいて、上述の時間Ｔ１、Ｔ２、Ｔ３には、放置状態ランクＢよりも小さい値が設定され、より早いペースで音量及びモータ回転量の引き下げが行われる。また、放置状態ランクＣにおいて、上述のｘ、ｙ、Ｘ、Ｙには、放置状態ランクＢよりも大きい値が設定され、より大きい制御幅で音量及びモータ回転量の引き下げが行われてもよい。
【００４６】
以上のように生成された輝度調整命令、音量調整命令、モータ出力調整命令を、省電力データ処理部１０６は、それぞれディスプレイ制御部１１１、音量制御部１０９、モータ制御部１０７に出力する。
【００４７】
ディスプレイ制御部１１１は、音量制御部１０９、モータ制御部１０７は、それぞれ、省電力データ制御部１０６からの輝度調整命令、音量調整命令、モータ出力調整命令に応じて、光源１１２、スピーカー１１０、バイブレーションモータ１０８を制御する（ステップＳ１０５）。
【００４８】
具体的には、ディスプレイ制御部１１１は、輝度調整命令（照明オフ）に応じて光源１１２の点灯を中止させる。また、音量制御部１０９は、音量調整命令（通常）又は音声調整命令（段階的引き下げ）により指示された音量で、ユーザに対する通知音をスピーカー１１０から出力させる。また、モータ制御部１０７は、モータ出力調整命令（通常）又はモータ出力調整命令（段階的引き下げ）により指示されたモータ回転量で、バイブレーションモータ１０８を振動させる。
【００４９】
一方、携帯端末装置１０の放置状態が継続していない場合、すなわち、放置カウンタの値が初期値である場合（ステップＳ１０３；Ｎｏ）、ディスプレイ制御部１１１、音量制御部１０９、モータ制御部１０７は、それぞれ、ユーザの設定内容に基づいて、光源１１２、スピーカー１１０、バイブレーションモータ１０８を制御する（ステップＳ１０６）。
【００５０】
加速度センサ１０１は、受信処理部１０５によって携帯端末装置１０のユーザに対する通知が必要な信号（例えば、音声着信信号、電子メール信号、情報配信信号）の受信中から受信後一定期間（以下、測定期間という）内における携帯端末装置１０の振動量を測定する（ステップＳ１０７）。
【００５１】
放置状態判断部１０３は、加速度センサ１０１による測定結果に基づいて、携帯端末装置１０が放置状態であるか否かを判断する（ステップＳ１０８）。具体的には、放置状態判断部１０３は、上述の測定期間内にしきい値Ｔｈ以上の振動量が検出された場合、携帯端末装置１０が放置状態ではないと判断する。一方、放置状態判断部１０３は、上述の測定期間内にしきい値Ｔｈ以上の振動量が測定されなかった場合、携帯端末装置１０が放置状態であると判断する。
【００５２】
なお、上述の測定期間は、バイブレーションモータ１０８の振動動作終了後の所定期間であっても良く、バイブレーションモータ１０８の振動動作中であってもよい。上述の測定期間がバイブレーションモータ１０８の振動動作中である場合、上述のしきい値Ｔｈは、バイブレーションモータ１０８の振動量以上の振動量を示す値が設定される。
【００５３】
放置状態判断部１０３によって携帯端末装置１０が放置状態であると判断された場合（ステップＳ１０８；Ｙｅｓ）、放置状態判断部１０３は、放置状態の継続回数を示す放置カウンタの値を１インクリメントし、加算された値を有する放置カウントを放置状態判断部１０３に記憶させる（ステップＳ１０９）。
【００５４】
一方、放置状態判断部１０３によって携帯端末装置１０が放置状態ではないと判断された場合（ステップＳ１０８；Ｎｏ）、本動作は、ステップＳ１０１に戻り、放置状態判断部１０３は、放置カウンタの値を初期値０に再設定し、初期値の放置カウンタを放置状態判断部１０３に記憶させる。
【００５５】
このように、本発明の省電力制御方法によれば、装置本体に搭載された加速度センサにより、静止状態であるかどうかを検出し、鳴動に対しての不干渉の回数をカウントし、加速度センサの検出結果と不干渉の回数とにより放置状態を判断し、放置状態の判断結果に基づいて装置本体における省電力を制御するので、着信・情報受信をユーザに通知する機能に対して、十分に省電力化することができる。
【００５６】
本発明の省電力制御において、同じ番号あるいは同状態（非通知、公衆電話着信を含む）からの音声着信が複数回続く場合には、ユーザに報知する必要があると考えられるので、省電力制御を一時解除し、ユーザ設定に基づく鳴動動作に変更しても良い。この場合において、放置状態のカウントは引き続き行う。具体的には、音声着信が複数回続いた旨の情報が受信処理部１０５から省電力データ処理部１０６に出力され、省電力データ処理部１０６がユーザ設定に基づく鳴動動作を行うようにモータ制御部１０７、音量制御部１０９及びディスプレイ制御部１１１に調整命令を出力する（制御する）。
【００５７】
本発明の省電力制御においては、携帯端末装置が閉じていても開いていても、加速度センサによらず、放置状態（静止状態かつユーザが操作できる状況にない状態）と判断した場合には、本省電力制御に移行することが望ましい。
【００５８】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
１０  携帯端末装置
１０１  加速度センサ
１０２  照度センサ
１０３  放置状態判断部
１０４  格納部
１０５  受信処理部
１０６  省電力データ処理部
１０７  モータ制御部
１０８  バイブレーションモータ
１０９  音量制御部
１１０  スピーカー
１１１  ディスプレイ制御部
１１２  光源
【図１】
2011244148.tif 000003
【図２】
2011244148.tif 000004
【図３】
2011244148.tif 000005
【図４】
2011244148.tif 000006